(57)【要約】【課題】着用者の臀部に相当する吸収コアの部分をよりカップ形状に変形させ易くし、体液の漏れを抑制できる吸収性物品を提供することができる。【解決手段】吸収性物品（１０）は、前後方向（Ｌ）と、前後方向に直交する幅方向（Ｗ）と、前胴回り域（Ｓ１）と、後胴回り域（Ｓ２）と、前胴回り域と後胴回り域との間に配置された股下域（Ｓ３）と、少なくとも股下域から後胴回り域にわたって延びる吸収コア（５１）と、後胴回り域において吸収コアと少なくとも部分的に重なり、幅方向に伸縮する弾性部材（３２）と、を有する。吸収性物品を２つ折りするための折り線（ＦＬ）が、股下域で幅方向に沿って延びている。吸収コアは、幅方向における吸収コアの両外側縁に位置する一対のサイドスリット（５８）を有する。幅方向において一対のサイドスリットの最も内側に位置する内縁部は、吸収コアの後端縁と折り線との中間線（Ｐ１）よりも後側に位置する。【選択図】図４
2019118576.tif 000002
【特許請求の範囲】
【請求項１】
前後方向と、
前記前後方向に直交する幅方向と、
前胴回り域と、
後胴回り域と、
前記前胴回り域と前記後胴回り域との間に配置された股下域と、
少なくとも前記股下域から前記後胴回り域にわたって延びる吸収コアと、
前記後胴回り域において前記吸収コアと少なくとも部分的に重なり、前記幅方向に伸縮する弾性部材と、を有し、
前記吸収性物品を２つ折りするための折り線が、前記股下域で前記幅方向に沿って延びており、
前記吸収コアは、前記幅方向における前記吸収コアの両外側縁に位置する一対のサイドスリットを有し、
前記幅方向において前記一対のサイドスリットの最も内側に位置する内縁部は、前記吸収コアの後端縁と前記折り線との中間線よりも後側に位置する、吸収性物品。
【請求項２】
前記吸収コアは、少なくとも前記股下域において前記幅方向の内側に括れた括れ領域を有し、
前記一対のサイドスリットの最も内側に位置する前記内縁部は、前記括れ領域において前記吸収コアの幅が最も狭い位置よりも後側に位置する、請求項１に記載の吸収性物品。
【請求項３】
前記一対のサイドスリットの最も内側に位置する前記内縁部は、前記括れ領域よりも後側に位置する、請求項２に記載の吸収性物品。
【請求項４】
前記前後方向における前記一対のサイドスリットの最大の長さは、前記吸収コアの厚みよりも長い、請求項１から３のいずれか１項に記載の吸収性物品。
【請求項５】
前記弾性部材は、前記一対のサイドスリットよりも後側の後側弾性部材と、前記一対のサイドスリットよりも前側の前側弾性部材と、を含み、
前記後側弾性部材の収縮力は、前記前側弾性部材の収縮力よりも高い、請求項１から４のいずれか１項に記載の吸収性物品。
【請求項６】
前記折り線と前記一対のサイドスリットとの間の領域に、前記幅方向に伸縮する弾性部材は設けられていない、請求項１から４のいずれか１項に記載の吸収性物品。
【請求項７】
前記前胴回り域と前記後胴回り域とを係止するサイド係止部を有し、
前記一対のサイドスリットは、前記幅方向から見て前記サイド係止部と重なる領域に設けられている、請求項１から６のいずれか１項に記載の吸収性物品。
【請求項８】
前記後胴回り域に設けられ、前記後胴回り域を前記前胴回り域に止着させるファスニングテープを有し、
前記一対のサイドスリットは、前記ファスニングテープよりも前側に設けられている、請求項１から６のいずれか１項に記載の吸収性物品。
【請求項９】
前記吸収コアは、前記後胴回り域において後端縁から前側に向けて延びた後側スリットを有する、請求項１から８のいずれか１項に記載の吸収性物品。
【請求項１０】
前記幅方向において前記サイドスリットの最も内側に位置する部分は、前記後側スリットの前側縁よりも前側に設けられている、請求項９に記載の吸収性物品。
【請求項１１】
前記幅方向において前記サイドスリットの最も内側に位置する部分は、前記吸収コアの後端縁と前記折り線との前記中間線よりも、前記後側スリットの前側縁の近くに位置する、請求項９又は１０に記載の吸収性物品。
【請求項１２】
前記後側スリットは、前記幅方向における中心に関して両側に設けられている、請求項９から１１のいずれか１項に記載の吸収性物品。
【請求項１３】
前記一対の後側スリットの前記幅方向の外側の外形線は、後側に向かうとともに前記幅方向の外側に向かうよう傾斜する部分を有する、請求項１２に記載の吸収性物品。
【請求項１４】
前記一対の後側スリットの前記幅方向の内側の外形線は、後側に向かうとともに前記幅方向の外側に向かうよう傾斜する部分を有する、請求項１２又は１３に記載の吸収性物品。
【請求項１５】
前記後側スリットの前端縁は、前記幅方向の内側に向かって尖っている、請求項９から１４のいずれか１項に記載の吸収性物品。
【発明の詳細な説明】
【技術分野】
【０００１】
本発明は、例えば使い捨ておむつのような吸収性物品に関する。
【背景技術】
【０００２】
特許文献１に記載された使い捨ておむつのような吸収性物品は、着用者の前胴回りに配置される前胴回り域と、着用者の後胴回りに配置される後胴回り域と、着用者の股下に配置される股下域と、を有する。着用者の体液を吸収する吸収コアは、前胴回り域から後胴回り域にわたって延びている。
【０００３】
特許文献１に記載された吸収性物品では、後胴回り域に、幅方向において伸縮可能なシート状弾性要素が設けられている。吸収コアは、吸収コアの他の部位よりも目付けが低いまたは吸収コアが存在しない低剛性領域を有する。この低剛性領域は、幅方向における吸収コアの中心で、吸収コアの後端縁から前方に向かって延びている。特許文献１に記載された吸収性物品では、吸収コアの低剛性領域とシート状弾性要素とにより、着用者の臀部へのフィット性が高くなるとされている。
【先行技術文献】
【特許文献】
【０００４】
【特許文献１】特開２０１３−１３８７０２号公報
【発明の概要】
【発明が解決しようとする課題】
【０００５】
使い捨ておむつのような吸収性物品に関し、着用者の臀部へのフィット性や体液の漏れの抑制という課題については、未だ改善の余地がある。特に、本願の発明者は、着用中に、着用者の臀部に相当する吸収コアの部分をよりカップ形状に変形させ易くし、体液の漏れを抑制できる吸収性物品を見出した。
【課題を解決するための手段】
【０００６】
一態様に係る吸収性物品は、前後方向と、前記前後方向に直交する幅方向と、前胴回り域と、後胴回り域と、前記前胴回り域と前記後胴回り域との間に配置された股下域と、少なくとも前記股下域から前記後胴回り域にわたって延びる吸収コアと、前記後胴回り域において前記吸収コアと少なくとも部分的に重なり、前記幅方向に伸縮する弾性部材と、を有する。前記吸収性物品を２つ折りするための折り線が、前記股下域で前記幅方向に沿って延びている。前記吸収コアは、前記幅方向における前記吸収コアの両外側縁に位置する一対のサイドスリットを有する。前記幅方向において前記一対のサイドスリットの最も内側に位置する内縁部は、前記吸収コアの後端縁と前記折り線との中間線よりも後側に位置する。
【図面の簡単な説明】
【０００７】
【図１】一実施形態に係る吸収性物品の模式図である。
【図２】一実施形態に係る吸収性物品の展開平面図である。
【図３】図１のＡ−Ａ線に沿った吸収性物品の断面図である。
【図４】吸収性物品の吸収コアの平面図である。
【図５】後側域で幅方向の内側に力を受けた吸収コアの模式図である。
【発明を実施するための形態】
【０００８】
（１）実施形態の概要
本明細書及び添付図面の記載により、少なくとも以下の事項が明らかとなる。
【０００９】
一態様に係る吸収性物品は、前後方向と、前記前後方向に直交する幅方向と、前胴回り域と、後胴回り域と、前記前胴回り域と前記後胴回り域との間に配置された股下域と、少なくとも前記股下域から前記後胴回り域にわたって延びる吸収コアと、前記後胴回り域において前記吸収コアと少なくとも部分的に重なり、前記幅方向に伸縮する弾性部材と、を有し、前記吸収性物品を２つ折りするための折り線が、前記股下域で前記幅方向に沿って延びており、前記吸収コアは、前記幅方向における前記吸収コアの両外側縁に位置する一対のサイドスリットを有し、前記幅方向において前記一対のサイドスリットの最も内側に位置する内縁部は、前記吸収コアの後端縁と前記折り線との中間線よりも後側に位置する。
【００１０】
幅方向に伸縮する弾性部材の作用により、吸収コアは、後胴回り域において、幅方向の内側に向かって力を受ける。ここで、一対のサイドスリットは、吸収コアの折り起点となり、吸収コアは、後胴回り域において、一対のサイドスリットを起点に幅方向の内側に向かって変形し易くなるとともに、一対のサイドスリットの最も内側に位置する内縁部どうしを結ぶ仮想線を起点に長手方向に曲がり易くなる。これにより、後胴回り域における吸収コアの幅方向の外端部は、幅方向内側に寄るとともに、肌側に向かうように変形する。この変形により、着用者の臀部に相当する吸収コアの部分は、着用者の臀部の湾曲に応じたカップ形状になり易くなる。
【００１１】
さらに、一対のサイドスリットが吸収コアの折り起点となるため、一対のサイドスリットの最も内側に位置する内縁部どうしの間を結ぶ仮想線よりも後側の吸収コアは、股下域の吸収コアの変形につられて変形することを抑制することができる。したがって、着用中に、一対のサイドスリットの最も内側に位置する内縁部どうしの間を結ぶ仮想線よりも後側の吸収コアは、着用者の背側の身体にフィットした状態を維持し易くなる。
【００１２】
好ましい一態様によれば、前記吸収コアは、少なくとも前記股下域において前記幅方向の内側に括れた括れ領域を有し、前記一対のサイドスリットの最も内側に位置する前記内縁部は、前記括れ領域において前記吸収コアの幅が最も狭い位置よりも後側に位置する。
【００１３】
吸収コアの括れ領域は、着用者は脚によって挟まれる領域である。したがって、括れ領域、特に吸収コアの幅が最も狭い位置は、吸収コアが幅方向に押しつぶされることによって剛性が高くなる。この領域から後側に離れた位置に一対のサイドスリットの内縁部が設けられていることで、サイドスリットを起点とした吸収コアを変形させる作用をより機能させることができる。
【００１４】
好ましい一態様によれば、前記一対のサイドスリットの最も内側に位置する前記内縁部は、前記括れ領域よりも後側に位置する。
【００１５】
吸収コアの括れ領域から後側に離れた位置に一対のサイドスリットの内縁部が設けられているため、サイドスリットを起点とした吸収コアを変形させる作用をよりいっそう機能させることができる。
【００１６】
好ましい一態様によれば、前記前後方向における前記一対のサイドスリットの最大の長さは、前記吸収コアの厚みよりも長い。
【００１７】
後胴回り域において吸収コアがカップ形状に変形した際に、サイドスリットに関して前後方向に隣り合う吸収コアどうしが互いに重なることを抑制することができる。これにより、吸収コアは、着用者の身体に合わせて丸みを帯びた形状になり易い。
【００１８】
好ましい一態様によれば、前記弾性部材は、前記一対のサイドスリットよりも後側の後側弾性部材と、前記一対のサイドスリットよりも前側の前側弾性部材と、を含み、前記後側弾性部材の収縮力は、前記前側弾性部材の収縮力よりも高い。
【００１９】
これにより、一対のサイドスリットよりも後側に位置する吸収コアは、より強く幅方向の内側へ向かう力を受ける。したがって、後胴回り域における吸収コアの幅方向の外側部は、幅方向内側により寄るように変形し、着用者の臀部の湾曲に応じたカップ形状になり易くなる。
【００２０】
好ましい一態様によれば、前記折り線と前記一対のサイドスリットとの間の領域に、前記幅方向に伸縮する弾性部材は設けられていない。
【００２１】
これにより、一対のサイドスリットよりも前側の領域よりも後側の方が、より強く幅方向の内側へ向かう力を受ける。したがって、後胴回り域における吸収コアの幅方向の外側部は、幅方向内側により寄るように変形し、着用者の臀部の湾曲に応じたカップ形状になり易くなる。
【００２２】
好ましい一態様によれば、吸収性物品は、前記前胴回り域と前記後胴回り域とを係止するサイド係止部を有し、前記一対のサイドスリットは、前記幅方向から見て前記サイド係止部と重なる領域に設けられている。
【００２３】
幅方向から見て前記サイド係止部と重なる領域は、着用者の腰回りにフィットする領域である。そのため、吸収コアは、サイド係止部と重なる領域において、幅方向の内側に向けて力を受け易い。一対のサイドスリットが幅方向から見てサイド係止部と重なる領域に設けられていることによって、後胴回り域における吸収コアの幅方向の外側部は、幅方向内側により寄り易くなり、着用者の臀部の湾曲に応じたカップ形状になり易くなる。
【００２４】
好ましい一態様によれば、吸収性物品は、前記後胴回り域に設けられ、前記後胴回り域を前記前胴回り域に止着させるファスニングテープを有し、前記一対のサイドスリットは、前記ファスニングテープよりも前側に設けられている。
【００２５】
ファスニングテープは、幅方向の外側に引っ張られた状態で止着される。このファスニングテープよりも前側（股下側）に、一対のサイドスリットが設けられているため、一対のサイドスリットの位置に幅方向の内側へ収縮力が働くことを阻害することがない。そのため、後胴回り域における吸収コアの幅方向の外側部が、幅方向内側により寄り易くなり、着用者の臀部の湾曲に応じたカップ形状になり易くなる。
【００２６】
好ましい一態様によれば、前記吸収コアは、前記後胴回り域において後端縁から前側に向けて延びた後側スリットを有する。
【００２７】
後胴回り域における吸収コアは、サイドスリットを起点として幅方向の内側に向かって変形しようとする。ここで、後胴回り域において後側縁から前側に向けて延びた後側スリットが設けられていると、吸収コアは、幅方向内側により変形し易くなる。
【００２８】
好ましい一態様によれば、前記幅方向において前記サイドスリットの最も内側に位置する部分は、前記後側スリットの前側縁よりも前側に設けられている。後胴回り域において吸収コアが幅方向の内側に向かって変形した場合、後側スリットの前側縁のところまで吸収コアの変形による歪みが生じ得る。幅方向においてサイドスリットの最も内側に位置する部分が、後側スリットの前側縁よりも前側に設けられているため、サイドスリットがこの歪みを緩和することができる。したがって、後胴回り域における吸収コアの変形が股下域に伝わり難く、後胴回り域における吸収コアのみを所望の形状に変形させ易くなる。
【００２９】
好ましい一態様によれば、前記幅方向において前記サイドスリットの最も内側に位置する部分は、前記吸収コアの後端縁と前記折り線との前記中間線よりも、前記後側スリットの前側縁の近くに位置する。
【００３０】
サイドスリットの最も内側に位置する部分と、後側スリットの前側縁とを近づけることにより、サイドスリットと後側スリットの両方の作用によって、サイドスリットより後側の吸収コアを幅方向の内側に向かってより変形し易くすることができる。これにより、後胴回り域における吸収コアが、着用者の臀部の湾曲に応じたカップ形状になり易くなる。
【００３１】
好ましい一態様によれば、前記後側スリットは、前記幅方向における中心に関して両側に設けられている。
【００３２】
後側スリットは、幅方向における中心に関して両側に設けられており、一対の後側スリットどうしの間には吸収コアが存在する。そのため、吸収コアの幅方向における中心から真後ろに体液が伝った場合であっても、一対の後側スリットどうしの間の吸収コアが体液を吸収することができる。これにより、吸収コアを変形し易くする後側スリットが存在したとしても、後方からの体液の漏れを抑制することができる。
【００３３】
好ましい一態様によれば、前記一対の後側スリットの前記幅方向の外側の外形線は、後側に向かうとともに前記幅方向の外側に向かうよう傾斜する部分を有する。
【００３４】
後側スリットの外形線が斜めに傾斜していることにより、後胴回り域における吸収コアが幅方向の内側に力を受けた場合に、吸収コアがよりカップ形状を形成するように変形し易くなる。
【００３５】
好ましい一態様によれば、前記一対の後側スリットの前記幅方向の内側の外形線は、後側に向かうとともに前記幅方向の外側に向かうよう傾斜する部分を有する。
【００３６】
後側スリットの外形線が斜めに傾斜していることにより、後胴回り域における吸収コアが幅方向の内側に力を受けた場合に、吸収コアがよりカップ形状を形成するように変形し易くなる。
【００３７】
好ましい一態様によれば、前記後側スリットの前端縁は、前記幅方向の内側に向かって尖っている。
【００３８】
これにより、後側スリットの前端縁を中心に、後側スリットよりも外側の吸収コアが内側に向かって変形し易くなる。したがって、吸収コアは、後胴回り域において、よりカップ形状を形成するように変形し易くなる。
【００３９】
（２）吸収性物品の構成
以下、図面を参照して、実施形態に係る吸収性物品について説明する。なお、以下の図面の記載において、同一又は類似の部分には、同一又は類似の符号を付している。ただし、図面は模式的なものであり、各寸法の比率等は現実のものとは異なることに留意すべきである。したがって、具体的な寸法等は、以下の説明を参酌して判断すべきである。また、図面相互間においても互いの寸法の関係や比率が異なる部分が含まれ得る。
【００４０】
図１は、一実施形態に係る吸収性物品の模式図である。図２は、一実施形態に係る吸収性物品の展開平面図である。図２は、後述するサイド係止部が展開された展開状態において吸収性物品を皺が形成されない状態まで伸長させた伸長状態を示している。図３は、図１のＡ−Ａ線に沿った吸収性物品の断面図である。図４は、吸収性物品の吸収コアの平面図である。
【００４１】
吸収性物品１０は、展開状態において互いに直交する前後方向Ｌ及び幅方向Ｗを有する。前後方向Ｌは、身体前側（腹側）と身体後側（背側）とに延びる方向によって規定される。言い換えると、前後方向Ｌは、展開された吸収性物品１０において前後に延びる方向である。また、吸収性物品１０は、前後方向Ｌと幅方向Ｗの両方の直交する厚み方向Ｔを有する。
【００４２】
吸収性物品１０は、前胴回り域Ｓ１と、後胴回り域Ｓ２と、股下域Ｓ３と、を有する。前胴回り域Ｓ１は、着用者の前胴回りに対向する領域である。後胴回り域Ｓ２は、着用者の後胴回りに対向する領域である。股下域Ｓ３は、着用者の股下に位置し、前胴回り域Ｓ１と後胴回り域Ｓ２との間に配置された領域である。
【００４３】
本実施形態では、吸収性物品１０は、前胴回り部材２０と、後胴回り部材３０と、吸収性本体４０と、を有していてよい。前胴回り部材２０は、前胴回り域Ｓ１に配置されている。後胴回り部材３０は、後胴回り域Ｓ２に配置されている。前胴回り部材２０及び後胴回り部材３０は、例えば不織布のようなシートから構成されていてよい。
【００４４】
前胴回り部材２０は、例えば、２層に重なった非肌面側シート１４と、２層に重なったカバーシート７０と、を有していてよい。図４に示す態様では、非肌面側シート１４とカバーシート７０は一体のシートから構成されている。具体的には、カバーシート７０は、非肌面側シート１４を前胴回り域Ｓ１の前端縁で折り返すことによって構成されている。この代わりに、非肌面側シート１４とカバーシート７０は別体のシートから構成されていてよい。
【００４５】
図４に示す態様では、カバーシート７０の後端縁７０ｅ付近に、幅方向Ｗに延びる第１弾性部材７１が設けられている。また、カバーシート７０は、第１弾性部材７１よりも前側で、接合部材７４、例えばホットメルト接着剤によって吸収性本体４０に接合されていてよい。
【００４６】
吸収性物品１０を前後に二分する折り線ＦＬが股下域Ｓ３を通っていてよい。折り線ＦＬは、幅方向Ｗに沿って延びている。すなわち、図１に示す状態において、吸収性物品１０は、幅方向Ｗに沿って延びる折り線ＦＬを基点に２つ折りされている。
【００４７】
幅方向Ｗにおける前胴回り域Ｓ１の端部と、幅方向Ｗにおける後胴回り域Ｓ２の端部とに、サイド係止部６０が設けられていてよい。サイド係止部６０は、幅方向Ｗにおける前胴回り域Ｓ１の端部と、幅方向Ｗにおける後胴回り域Ｓ２の端部とを互いに係止した部分によって規定される。
【００４８】
幅方向Ｗにおける前胴回り域Ｓ１の端部と、幅方向Ｗにおける後胴回り域Ｓ２の端部とが、サイド係止部６０によって係止された状態で、吸収性物品１０には、着用者の胴が通される胴回り開口部６２と、着用者の脚がそれぞれ挿入される一対の脚回り開口部６６と、が形成される。胴回り開口部６２を形成する胴回り開口縁６４は、前胴回り部材２０の前端縁と、後胴回り部材３０の後端縁とによって規定されていてよい。また、脚回り開口部６６を形成する脚回り開口縁６８は、前後方向Ｌに延びる吸収性本体４０の側辺４０ｌと、前胴回り部材２０の後側に位置する辺２０ｌと、後胴回り部材３０の前側に位置する辺３０ｌと、によって規定されていてよい。
【００４９】
ここで、図２は、サイド係止部６０における係止を解除し、吸収性物品１０を展開した状態を示している。サイド係止部６０は、前胴回り部材２０及び後胴回り部材３０のそれぞれにおいて、前後方向Ｌに沿って延びていてよい。この場合、前胴回り域Ｓ１と股下域Ｓ３との境界は、前胴回り部材２０に設けられたサイド係止部６０の後端縁によって規定されていてよい。同様に、後胴回り域Ｓ２と股下域Ｓ３との境界は、後胴回り部材３０に設けられたサイド係止部６０の前端縁によって規定されていてよい。
【００５０】
後胴回り域Ｓ２には、幅方向Ｗに伸縮可能な１本又は複数本の弾性部材３２が設けられていてよい。この代わりに、後胴回り域Ｓ２の弾性部材３２は、幅方向Ｗに伸縮可能な伸縮シートによって構成されていてもよい。弾性部材３２は、吸収コア５１と少なくとも部分的に重なる位置に設けられていてよい。
【００５１】
また、前胴回り域Ｓ１には、幅方向Ｗに伸縮可能な１本又は複数本の第２弾性部材２２が設けられていてよい。第２弾性部材２２は弾性糸によって構成されている。第２弾性部材２２は、前胴回り域Ｓ１において吸収性本体４０よりも非肌面側に設けられていてよい。さらに、前胴回り域Ｓ１に、幅方向Ｗに伸縮可能な伸縮シート９０が設けられていてもよい。伸縮シート９０は、厚み方向Ｔにおいて第２弾性部材２２と重ならない領域に設けられていてよい。
【００５２】
吸収性本体４０は、前胴回り部材２０と後胴回り部材３０とに跨って配置されている。すなわち、吸収性本体４０は、前胴回り域Ｓ１、後胴回り域Ｓ２及び股下域Ｓ３にわたって延びている。
【００５３】
吸収性本体４０は、前胴回り部材２０及び後胴回り部材３０とは別体として構成されていてよい。この場合、吸収性本体４０は、前胴回り域Ｓ１及び後胴回り域Ｓ２において、それぞれ前胴回り部材２０及び後胴回り部材３０と接合されていてよい。
【００５４】
吸収性本体４０は、少なくとも吸収体５０を含んでいる。さらに、吸収性本体４０は、吸収体５０の肌面側に位置する肌面シート４１と、吸収体５０の非肌面側に位置する非肌面シート４２と、を有していてよい。肌面シート４１は、吸収体５０の肌面側で吸収体５０を覆っていてよい。非肌面シート４２は、吸収体５０の非肌面側で吸収体５０を覆っていてよい。
【００５５】
肌面シート４１は、例えば不織布や開孔プラスチックフィルムのような透液性シートによって構成されていてよい。肌面シート４１は、１枚のシートから構成されていてもよい。この代わりに、肌面シート４１は、複数枚のシートが互いに積層された積層シートから構成されていてもよい。
【００５６】
非肌面シート４２は、不透液性シートを含んでいてよい。不透液性シートは、例えばプラスチックフィルムのような不透液性フィルムによって構成されていてよい。非肌面シート４２は、１枚のシートから構成されていてもよい。この代わりに、非肌面シート４２は、複数枚のシートが互いに積層された積層シートから構成されていてもよい。この場合、複数枚のシートのうちの少なくとも１枚が不透液性を有していてよい。
【００５７】
吸収体５０は、吸収コア５１と、吸収コアを包むコアラップ５２と、を含んでいてよい。吸収コア５１は、例えば粉砕パルプもしくは高吸収性ポリマー（ＳＡＰ）、又はこれらの混合物を含んでいてよい。コアラップ５２は、例えばティッシュ又は薄葉紙により構成されていてよい。
【００５８】
吸収コア５１は、少なくとも股下域Ｓ３に配置されている。好ましくは、吸収コア５１は、前後方向Ｌにおいて、前胴回り域Ｓ１から後胴回り域Ｓ２にわたって延びていてよい。
【００５９】
吸収コア５１は、少なくとも股下域Ｓ３で幅方向Ｗの内側に括れた括れ領域ＣＡを有していてよい。括れ領域ＣＡは、折り線ＦＬに関して前後方向Ｌに延びていてよい。幅方向Ｗにおける吸収コア５１の最狭部ＬＡは、股下域Ｓ３に設けられていてよい。また、吸収コア５１の最狭部は、前後方向Ｌに沿って延びていてもよい。この場合、折り線ＦＷは吸収コア５１の括れ領域ＣＡを通っていてよい。
【００６０】
吸収性本体４０は、幅方向Ｗにおける肌面シート４１の両側部を覆うサイドシート４３を有していてもよい。サイドシート４３は、例えば不織布や開孔プラスチックフィルムのようなシートによって構成されていてよい。
【００６１】
吸収性本体４０は、一対の防漏カフ４６を有していてよい。一対の防漏カフ４６は、前胴回り域Ｓ１と後胴回り域Ｓ２との間を前後方向Ｌに延びており、幅方向Ｗにおける吸収性物品１０の中心を挟んで両側に配置されている。一対の防漏カフ４６は、着用者の肌に向かって立ち上がり可能な起立可能部（図２の範囲Ｂの部分）によって規定されている。
【００６２】
防漏カフ４６は、サイドシート４３と、サイドシート４３に設けられた第３弾性部材４７と、によって構成されていてよい。第３弾性部材４７は、前後方向に伸縮可能に構成されている。第３弾性部材４７は、１本又は複数本の糸ゴムを含んでいてよい。具体的一例として、幅方向Ｗにおけるサイドシート４３の内側部分は外側に折り返されており、サイドシート４３の折り返された部分に第３弾性部材４７が配置されている。また、幅方向Ｗにおけるサイドシート４３の内側縁は、肌面シート４１に接合されておらず、肌面シート４１から立ち上がり可能な自由端を構成する。
【００６３】
一対の防漏カフ４６の後端縁の後側は、肌面側に向かって起立不能に接合されたカフ接合部４６ｊを有する。図示した例では、カフ接合部４６ｊは、サイドシート４３と肌面シート４１との接合部によって規定される。なお、サイドシート４３と肌面シート４１とは、例えばホットメルト接着剤のような接着剤によって接合されていてよい。また、図示していないが、一対の防漏カフ４６の前端縁の前側も、肌面側に向かって起立不能に接合されたカフ接合部を有していてよい。
【００６４】
防漏カフ４６は、起立支点４６ａ及び起立頂点４６ｂを有する。起立支点４６ａ及び起立頂点４６ｂは、前胴回り域Ｓ１から後胴回り域Ｓ２にわたって前後方向Ｌに延びている。起立支点４６ａは、起立しない点であり、防漏カフ４６の根本に相当する。本実施形態では、起立支点４６ａは、サイドシート４３と肌面シート４１の接合部のうちの幅方向Ｗの内側の縁線に相当する。起立頂点４６ｂは、防漏カフ４６が立ち上がったときの防漏カフ４６の頂点に相当する。すなわち、起立頂点４６ｂは、防漏カフ４６の自由端である。
【００６５】
吸収性本体４０は、幅方向Ｗにおける一対の防漏カフ４６の外側の領域に、一対のギャザー４８を有していてもよい。一対のギャザー４８は、前胴回り域Ｓ１から後胴回り域Ｓ２にわたって前後方向Ｌに延びていてよい。
【００６６】
一対のギャザー４８は、吸収性本体４０を構成するシートに取り付けられた第４弾性部材４９によって構成されていてよい。第４弾性部材４９は、例えば１本又は複数本の糸ゴムであってよい。この代わりに、第４弾性部材４９は、例えば伸縮性を有する弾性シートであってもよい。第４弾性部材４９は、自然状態から伸張した状態で吸収性本体４０を構成するシートに接合されている。これにより、第４弾性部材４９は、吸収性本体４０を前後方向Ｌに収縮させるように作用し、ギャザーを形成することができる。
【００６７】
（３）吸収コアの構成
次に吸収コア５１の構成について詳細に説明する。図４は、吸収性物品１０の吸収コア５１の平面図である。
【００６８】
吸収コア５１は、高剛性領域ＨＲを有していてよい。高剛性領域ＨＲが、折り線ＦＬよりも後側で、幅方向Ｗにおける中心を含む領域に設けられている。高剛性領域ＨＲは、折り線ＦＬと高剛性領域ＨＲとの間の領域における剛性よりも高い剛性を有する領域によって規定されている。好ましくは、高剛性領域ＨＲは、吸収コア５１が厚み方向に圧縮されたエンボス領域によって構成されていてよい。
【００６９】
また、吸収コア５１は、幅方向Ｗにおける吸収性物品１０の中心に関して両側に形成された一対の溝５４を有していてよい。ここで、吸収コア５１の「溝」は、吸収コア５１を構成する吸収材料に形成された凹部、又は吸収材料の目付が零の領域の両方を含む概念である。
【００７０】
吸収コア５１は、後胴回り域Ｓ２において、吸収コア５１の後側縁から前側に延びる後側スリット５６と中央スリット５９を有していてもよい。また、吸収コア５１は、幅方向Ｗにおける吸収コア５１の両外側縁に位置する一対のサイドスリット５８を有していてもよい。ここで、スリットは、吸収コア５１を構成する吸収材料が実質的に零の領域であってよい。
【００７１】
幅方向Ｗにおいて一対のサイドスリット５８の最も内側に位置する内縁部は、吸収コア５１の後端縁と折り線ＦＬとの中間線Ｐ１よりも後側に位置することが好ましい。幅方向Ｗに伸縮する弾性部材３２の作用により、吸収コア５１は、後胴回り域Ｓ２において、幅方向Ｗの内側に向かって力を受ける。ここで、一対のサイドスリット５８は、吸収コア５１の折り起点となり、吸収コア５１は、後胴回り域Ｓ２において、一対のサイドスリット５８を起点に幅方向Ｗの内側に向かって変形し易くなるとともに、一対のサイドスリット５８の最も内側に位置する内縁部どうしを結ぶ仮想線ＩＬを起点に長手方向Ｌに曲がり易くなる。これにより、後胴回り域Ｓ３における吸収コア５１の幅方向Ｗの外端部は、幅方向内側に寄るとともに、肌側に向かうように変形する（図５も参照）。この変形により、着用者の臀部に相当する吸収コア５１の部分は、着用者の臀部の湾曲に応じたカップ形状になり易くなる。
【００７２】
さらに、一対のサイドスリット５８が吸収コア５１の折り起点となるため、一対のサイドスリット５８の最も内側に位置する内縁部どうしの間を結ぶ仮想線ＩＬよりも後側の吸収コア５１は、股下域Ｓ３の吸収コア５１の変形につられて変形することを抑制することができる。したがって、着用中に、一対のサイドスリット５８の最も内側に位置する内縁部どうしの間を結ぶ仮想線ＩＬよりも後側の吸収コア５１は、着用者の背側の身体にフィットした状態を維持し易くなる。
【００７３】
一対のサイドスリット５８の最も内側に位置する内縁部は、括れ領域ＣＡにおいて吸収コア５１の幅が最も狭い最狭部ＬＡよりも後側に位置することが好ましい。吸収コア５１の括れ領域ＣＡは、着用者は脚によって挟まれる領域である。したがって、括れ領域ＣＡは、吸収コア５１が幅方向に押しつぶされることによって剛性が高くなる。この領域から後側に離れた位置に一対のサイドスリット５８の内縁部が設けられていることで、サイドスリット５８を起点とした吸収コア５１を変形させる作用をより機能させることができる。
【００７４】
より好ましくは、一対のサイドスリット５８の最も内側に位置する内縁部は、括れ領域ＣＡよりも後側に位置する。このように、一対のサイドスリット５８を括れ領域ＣＡから離れた位置に配置することで、サイドスリット５８を起点とした吸収コア５１を変形させる作用をよりいっそう機能させることができる。
【００７５】
一対のサイドスリット５８の少なくとも一部、好ましくは全部が、幅方向Ｗから見てサイド係止部６０と重なる領域に設けられていることが好ましい。幅方向Ｗから見てサイド係止部６０と重なる領域は、着用者の腰回りにフィットする領域である。そのため、吸収コア５１は、サイド係止部６０と重なる領域において、幅方向Ｗの内側に向けて力を受け易い。一対のサイドスリット５８が幅方向Ｗから見てサイド係止部６０と重なる領域に設けられていることによって、後胴回り域Ｓ２における吸収コア５１の幅方向Ｗの外側部は、幅方向Ｗ内側により寄り易くなり、着用者の臀部の湾曲に応じたカップ形状になり易くなる。
【００７６】
前後方向Ｌにおける一対のサイドスリット５８の最大の長さは、吸収コア５１の厚みよりも長いことが好ましい。より具体的には、一対のサイドスリット５８の最大の長さは、吸収コア５１の、サイドスリットに隣接する部分の厚みよりも長いことが好ましい。これにより、後胴回り域Ｓ２において吸収コア５１がカップ形状に変形する際に、サイドスリット５８を挟んで前後方向Ｌに隣り合う吸収コア５１どうしが互いに重なることを抑制することができる。これにより、吸収コア５１は、着用者の身体に合わせて丸みを帯びたカップ形状になり易い。
【００７７】
後胴回り域Ｓ２における弾性部材３２は、一対のサイドスリット５８よりも後側の後側弾性部材と、一対のサイドスリット５８よりも前側の前側弾性部材と、を含んでいてよい。この場合、後側弾性部材の収縮力は、前側弾性部材の収縮力よりも高いことが好ましい。この代わりに、折り線ＦＬと一対のサイドスリット５８との間の領域に、幅方向Ｗに伸縮する弾性部材は設けられていなくてもよい。すなわち、前述の前側弾性部材は設けられていなくてもよい。
【００７８】
これにより、一対のサイドスリット５８よりも後側に位置する吸収コア５１は、より強く幅方向Ｗの内側へ向かう力を受ける。したがって、後胴回り域Ｓ２における吸収コア５１の幅方向Ｗの外側部は、幅方向Ｗ内側により寄るように変形し、着用者の臀部の湾曲に応じたカップ形状になり易くなる。
【００７９】
前述したように、吸収コア５１は、吸収コア５１の後端縁から前側に向けて延びた後側スリット５６を有することが好ましい。前述したように、後胴回り域Ｓ２における吸収コア５１は、サイドスリット５８を起点として幅方向Ｗの内側に向かって変形しようとする。ここで、後胴回り域Ｓ２において後側縁から前側に向けて延びた後側スリット５６が設けられていると、吸収コア５１は、幅方向Ｗ内側により変形し易くなる。
【００８０】
幅方向Ｗにおいてサイドスリット５８の最も内側に位置する部分は、後側スリット５６の前側縁よりも前側に設けられていることが好ましい。後胴回り域Ｓ２において吸収コア５１が幅方向Ｗの内側に向かって変形した場合、後側スリット５６の前側縁のところまで吸収コア５１の変形による歪みが生じ得る。幅方向Ｗにおいてサイドスリット５８の最も内側に位置する部分が、後側スリット５６の前側縁よりも前側に設けられているため、サイドスリットがこの歪みを緩和することができる。したがって、後胴回り域Ｓ２における吸収コア５１の変形が股下域Ｓ３に伝わり難く、後胴回り域Ｓ２における吸収コア５１のみを所望の形状に変形させ易くなる。
【００８１】
幅方向Ｗにおいてサイドスリット５８の最も内側に位置する部分は、吸収コア５１の後端縁と折り線ＦＬとの中間線Ｐ１よりも、後側スリット５６の前側縁の近くに位置することが好ましい。すなわち、幅方向Ｗにおいてサイドスリット５８の最も内側に位置する部分と後側スリット５６の前側縁との間における前後方向の距離Ｌ１は、幅方向Ｗにおいてサイドスリット５８の最も内側に位置する部分と中間線Ｐ１との間における前後方向の距離Ｌ２よりも短い。サイドスリット５８の最も内側に位置する部分と、後側スリット５６の前側縁とを近づけることにより、サイドスリット５８と後側スリット５６の両方の作用によって、サイドスリット５８より後側の吸収コア５１を幅方向Ｗの内側に向かってより変形し易くすることができる。これにより、後胴回り域Ｓ２における吸収コア５１が、着用者の臀部の湾曲に応じたカップ形状になり易くなる。
【００８２】
吸収コア５１は、幅方向Ｗにおける中心を挟んで両側に位置する一対の後側スリット５６を有することが好ましい。一対の後側スリット５６どうしの間には吸収コア５１が存在する。そのため、吸収コア５１の幅方向における中心から真後ろに体液が伝った場合であっても、一対の後側スリット５６どうしの間の吸収コア５１が体液を吸収することができる。これにより、吸収コア５１を変形し易くする後側スリット５６が存在したとしても、後方からの体液の漏れを抑制することができる。
【００８３】
後側スリット５６の少なくとも一部、好ましくは全部が、防漏カフ４６の起立可能部Ｂよりも後側に設けられていることが好ましい。前後方向Ｌに延びた防漏カフ４６は前後に収縮するため、吸収コア５１の後側スリット５６が防漏カフ４６の起立領域Ｂよりも前側に設けられていると、防漏カフ４６から前方向に引っ張られる力により、吸収コア５１が幅方向Ｗ内側へ向かって変形し難くなり、カップ形状になり難い。したがって、吸収コア５１を後胴回り域Ｓ２でカップ形状にしやすくするために、後側スリット５６は、防漏カフ４６の起立可能部Ｂよりも後側に設けられていることが好ましい。
【００８４】
後側スリット５６の後側縁の幅方向Ｗにおける長さは、後側スリット５６の前側縁の幅方向Ｗにおける長さよりも長いことが好ましい。後胴回り域Ｓ２は、幅方向Ｗに伸縮する弾性部材３２によって幅方向Ｗの内側に収縮しようとする。さらに、後側スリット５６の後側縁の幅方向における長さは、後側スリット５６の前側縁の幅方向Ｗにおける長さよりも長くなっている。そのため、吸収コア５１は、後方に向かうほど弾性部材３２の作用により幅方向内側に向かってより変形し易くなっている。これにより、一対の後側スリット５６よりも幅方向の外側の吸収コア５１が幅方向の内側に寄りつつ、吸収コア５１の幅方向の外端部が肌側に向かうように変形する（図５も参照）。この変形により、着用者の臀部に相当する吸収コアの部分は、着用者の臀部の湾曲に応じたカップ形状になり易くなる。
【００８５】
一対の後側スリット５６の幅方向Ｗの外側の外形線５６оは、後側に向かうとともに幅方向Ｗの外側に向かうよう傾斜する部分を有することが好ましい。より好ましくは、一対の後側スリット５６の幅方向Ｗの外側の外形線５６о全体は、後側に向かうとともに幅方向Ｗの外側に向かうよう傾斜する。後側スリット５６の外側の外形線５６оが斜めに傾斜していることにより、外形線５６оの後側縁が外形線５６оの前側縁よりも幅方向Ｗの外側に位置する。この場合、外形線５６оよりも幅方向Ｗの吸収コア５１は、変形起点となる外形線５６оの前側縁の位置よりも幅方向の外側に位置する。したがって、後胴回り域Ｓ２における吸収コア５１が幅方向Ｗの内側に力を受けた場合に、外形線５６оよりも幅方向Ｗの外側の吸収コア５１がよりカップ形状を形成するように変形し易くなる。
【００８６】
また、一対の後側スリット５６の幅方向Ｗの内側の外形線５６ｉは、後側に向かうとともに幅方向Ｗの外側に向かうよう傾斜する部分を有することが好ましい。後側スリット５６の外形線５６ｉが斜めに傾斜していることにより、後胴回り域Ｓ２における吸収コア５１が幅方向Ｗの内側に力を受けた場合に、吸収コア５１の外側部がよりカップ形状を形成するように変形し易くなる。
【００８７】
後側スリット５６は、吸収コア５１の後側縁において幅方向Ｗに最大の長さを有することが好ましい。これにより、吸収コア５１は、後側に向かうほど幅方向Ｗの内側に向かって変形し易くなる。これにより、後胴回り域Ｓ２において、吸収コア５１はよりカップ形状を形成するように変形し易くなる。
【００８８】
後側スリット５６の前端縁は、幅方向Ｗの内側に向かって尖っていることが好ましい。これにより、後側スリット５６の前端縁を中心に、後側スリット５６よりも外側の吸収コア５１が内側に向かって変形し易くなる。したがって、吸収コア５１は、後胴回り域Ｓ２において、よりカップ形状を形成するように変形し易くなる。
【００８９】
幅方向Ｗにおける後側スリット５６の最大の長さは、５ｍｍ以上であることが好ましい。幅方向Ｗにおける後側スリット５６の最大の長さを５ｍｍ以上とすることで、後胴回り域Ｓ２における吸収コア５１を十分に変形させることができ、カップ形状により変形し易くすることができる。
【００９０】
また、幅方向Ｗにおける後側スリット５６の最大の長さと、幅方向Ｗにおける後側スリット５６の前端縁の長さとの差が、１０ｍｍ以上であることが好ましい。幅方向Ｗにおける後側スリット５６の最大の長さと、幅方向Ｗにおける後側スリット５６の前端縁の長さとの差を十分に大きくすることで、吸収コア５１は、後胴回り域Ｓ２において、よりカップ形状を形成するようにより変形し易くなる。
【００９１】
一対の後側スリット５６どうしの間の吸収コア５１の幅方向Ｗの長さは、一対の後側スリット５６の前端縁から後側に向かうにつれて長くなる領域を有することが好ましい。一対の後側スリット５６どうしの間の吸収コア５１の幅が、後側に向かうとともに広くなっている部分を有するため、後方（背側）からの体液の漏れを抑制することができる。
【００９２】
一対の後側スリット５６どうしの間の吸収コア５１の幅方向Ｗの長さは、吸収コア５１の後端縁よりも前側で最大となることが好ましい。一対の後側スリット５６どうしの間の吸収コア５１の幅方向Ｗの長さが吸収コア５１の後端縁で最大となる場合、吸収コア５１が幅方向Ｗ内側に向かって変形したときに、後側スリット５６どうしの間の吸収コア５１の後側縁が、後側スリット５６の幅方向の外側に隣接する吸収コア５１の後側縁に当たり、着用中に後側スリット５６を閉じるように十分に吸収コア５１が変形しないことがある。本態様では、一対の後側スリット５６どうしの間の吸収コア５１の幅方向の長さが吸収コア５１の後端縁よりも前側で最大となるため、着用中に後側スリットを閉じるように十分に吸収コア５１が変形できる。一対の後側スリット５６よりも幅方向の外側の吸収コア５１が、一対の後側スリット５６どうしの間の吸収コア５１の後方に向かうように変形し得ることになり、着用者の臀裂に向かって吸収コア５１を押し当てるような変形状態を形成しやすくなる。そのため、後方からの便の漏れをより抑制することができる。
【００９３】
より好ましくは、一対の後側スリット５６どうしの間における吸収コア５１の最大幅は、１５ｍｍ以上である。一対の後側スリット５６どうしの間における吸収コア５１の幅を大きくすることで、後方（背側）からの体液の漏れをより抑制することができる。
【００９４】
前述したように、吸収コア５１は、一対の後側スリット５６どうしの間に、後側縁から前側に向かって延びる中央スリット５９を有していてよい。この場合、前後方向Ｌにおける中央スリット５９の長さは、前後方向Ｌにおける一対の後側スリット５６の長さよりも短いことが好ましい。より好ましくは、幅方向Ｗにおける中央スリット５９の長さは、幅方向Ｗにおける後側スリット５６の長さよりも短い。このような中央スリット５９によって、吸収コア５１は、後胴回り域Ａ２において、より内側に向かって変形し易くなる。この場合であっても、前後方向Ｌにおける中央スリット５９が小さいため、後方（背側）からの体液の漏れを抑制することができる。
【００９５】
一対の後側スリット５６の少なくとも一部、好ましくは全部が、厚み方向Ｔにおいて弾性部材３２に重なっていることが好ましい。なお、弾性部材３２が伸縮性シートから構成されている場合には、一対の後側スリット５６の全部が厚み方向Ｔにおいて弾性部材３２に重なることも可能である。これにより、弾性部材３２による収縮が吸収コア５１の後側スリット５６のところに作用し易いため、吸収コア５１は、後胴回り域Ｓ２において、より内側に向かって変形し易くなる。
【００９６】
より好ましくは、後側スリット５６よりも後側での後胴回り域Ｓ２の幅方向Ｗの収縮力は、後側スリット５６よりも前側での後胴回り域Ｓ２の幅方向Ｗの収縮力よりも大きい。例えば、後側スリット５６から後側に３ｃｍの幅に切り取った後胴回り域Ｓ２の幅方向Ｗの収縮力は、後側スリット５６から前側に３ｃｍの幅に切り取った後胴回り域Ｓ２の幅方向Ｗの収縮力よりも大きい。後側スリット５６の後側縁と吸収性物品の後側縁との間の距離が３ｃｍ未満の場合には、後側スリット５６から後側の領域全体を切り取った後胴回り域Ｓ２の幅方向Ｗの収縮力が、後側スリット５６から後側の領域と同じ幅で、後側スリット５６から前側の領域を切り取った後胴回り域Ｓ２の幅方向Ｗの収縮力よりも大きければよい。これにより、後側スリット５６の前端縁よりも後端縁の方で、吸収コア５１を幅方向Ｗに強く変形し易くすることができる。これにより、吸収コア５１がよりカップ形状を形成するように変形し易くなる。
【００９７】
ここで、後胴回り域Ｓ２の幅方向Ｗにおける収縮力は、以下のように定義することができる。収縮力は、電気機械式万能材料試験機（引張試験器：INSTRON社製、INSTRON、型式  5564）によって測定することができる。具体的には、まず、測定対象となる試験片を作成する。吸収性物品がサイド接合部を有する場合には、サイド接合部を解除し、吸収性物品を展開する。次に、吸収性物品を伸長させた伸長状態において、後側スリット５６から後側に３ｃｍの幅に切り取った試験片と、後側スリット５６から前側に３ｃｍの幅に切り取った試験片とを取得する。なお、前述したように、後側スリット５６の後側縁と吸収性物品の後側縁との間の距離が３ｃｍ未満の場合には、後側スリット５６から後側の領域全体を切り取った試験片と、後側スリット５６から後側の領域の試験片と同じ幅になるように後側スリット５６から前側の領域を切り取った試験片と、を取得すればよい。次に、切り出した各領域の試験片の両端部を引張試験器のチャック（挟持具）によって挟持する。次に、幅方向Ｗにおけるチャックの一方を固定した状態で、チャック間の距離を変えるようにチャックのもう一方を２往復分だけ往復移動させる。このときのチャックの移動スピードは、３００ｍｍ／ｍｉｎとする。なお、チャックの移動方向を変えるタイミングは、最大伸長時の９５％の地点とする。チャックの移動中に、チャックに係る応力を測定し、最大伸長時から６０％の際に得られた応力を、前胴回り域Ｓ１内の各部位の「収縮力」と定義する。なお、最大伸長時とは、弾性部材の収縮力によってシートにしわが発生しない程度まで伸ばした状態をいう。
【００９８】
本実施形態において、吸収性物品１０の各部の「長さ」に関する数値は、サイド係止部６０を解除して展開した吸収性物品１０の皺（折り線ＦＬを除く）がなくなるまで吸収性物品を伸長させた伸長状態において計測される。
【００９９】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【０１００】
例えば、上記実施形態では、吸収性本体４０は、前胴回り部材２０及び後胴回り部材３０と別体として構成されている。この代わりに、吸収性本体４０は、前胴回り部材２０及び後胴回り部材３０と一体に構成されていてもよい。
【０１０１】
また、上記実施形態では、吸収性物品１０は、サイド係止部６０を有するいわゆるパンツ型の吸収性物品である。この代わりに、吸収性物品１０は、テープ型の吸収性物品であってもよい。この場合、吸収性物品１０は、サイド係止部６０を有しておらず、前胴回り域Ｓ１と後胴回り域Ｓ２とを互いに着脱可能に固定するファスニングテープを有していてよい。好ましくは、ファスニングテープは、後胴回り域Ｓ２に設けられ、後胴回り域Ｓ２を前胴回り域Ｓ１に止着させる。この場合、一対のサイドスリット５８は、ファスニングテープよりも前側に設けられることが好ましい。ファスニングテープは、幅方向の外側に引っ張られた状態で止着される。このファスニングテープよりも前側（股下側）に、一対のサイドスリット５８が設けられると、一対のサイドスリット５８の位置に幅方向の内側へ収縮力が働くことを阻害することがない。そのため、後胴回り域における吸収コアの幅方向の外側部が、幅方向内側により寄り易くなり、着用者の臀部の湾曲に応じたカップ形状になり易くなる。
【産業上の利用可能性】
【０１０２】
上記実施態様によれば、着用者の臀部に相当する吸収コアの部分をよりカップ形状に変形させ易くし、体液の漏れを抑制できる吸収性物品を提供することができる。
【符号の説明】
【０１０３】
１０    吸収性物品
４０    吸収性本体
５０    吸収体
５１    吸収コア
５４    溝
５６    後側スリット
５８    サイドスリット
５９    中央スリット
ＣＡ    括れ領域
Ｓ１    前胴回り域
Ｓ２    後胴回り域
Ｓ３    股下域
ＦＬ    折り線
Ｌ      前後方向
Ｗ      幅方向
Ｔ      厚み方向
【図１】
2019118576.tif 000003
【図２】
2019118576.tif 000004
【図３】
2019118576.tif 000005
【図４】
2019118576.tif 000006
【図５】
2019118576.tif 000007